(57)【特許請求の範囲】
【請求項１】
ユーザの顔にメイクアップを施している場面を撮影し、その撮影した動画像データをユーザ端末に配信可能としたメイクアップ録画配信システムであって、
前記ユーザが所持し、ユーザ識別情報が記憶されたユーザカードと、
前記ユーザカードに記憶されたユーザ識別情報を読み取る第１のリーダと、
前記メイクアップに使用され、化粧品識別情報が付加されている化粧品と、
前記化粧品識別情報を読み取る第２のリーダと、
前記ユーザの顔にメイクアップを施している場面を撮影する撮影装置と、
前記第１のリーダ、前記第２のリーダ、前記撮影装置、前記ユーザ端末と、が通信可能な状態で接続されたサーバとを備え、
前記サーバが、前記第１のリーダから受信したユーザ識別情報と、前記第２のリーダから受信した化粧品識別情報と、前記撮影装置から受信した動画像データと、を関係付けて登録する手段と、前記ユーザ端末から前記ユーザ識別情報を含むメイクアップ録画の配信要求情報を受信した際に、前記受信したユーザ識別情報と関係付けられて登録されている動画像データと、化粧品情報とを、前記ユーザ端末に配信する配信手段と、を有することを特徴とするメイクアップ録画配信システム。
【請求項２】
前記サーバが、前記撮影装置から撮影開始情報を受信した際に、その受信した時刻を開始時刻として、録画時間のカウントを行う時間カウント手段と、前記時間カウント手段でカウントされている時間経過データに基づいて、前記登録されている動画像データの撮影時刻情報と、前記第２のリーダから化粧品識別情報を受信した際の受信時刻情報とを関係付け、前記化粧品識別情報を受信した時刻毎に、その受信時刻間に撮影された動画像データを区分けして、該化粧品識別情報と、区分けした動画像データと、を関係付けて登録することで配信用コンテンツを作成する配信用コンテンツ作成手段と、前記ユーザ端末の画面に表示された化粧品選択表示に基づいてユーザが選択し、前記ユーザ端末から送信された化粧品識別情報を受信した際に、受信した化粧品識別情報と関係付けられて配信用コンテンツに登録されている動画像データを、前記ユーザ端末に配信する配信手段と、を有していることを特徴とする請求項１記載のメイクアップ録画配信システム。
【請求項３】
前記サーバが、前記撮影装置から受信した動画像データを解析して、顔の化粧が施されている複数の部位毎に分解して、分解した動画像データと、各部位識別情報と、を関係付けて登録することで配信用コンテンツを作成する配信用コンテンツ作成手段と、前記ユーザ端末の画面に表示された部位選択表示に基づいてユーザが選択し、前記ユーザ端末から送信された部位識別情報を受信した際に、受信した部位識別情報と関係付けられて配信用コンテンツに登録されている動画像データを、前記ユーザ端末に配信する配信手段と、を有していることを特徴とする請求項１記載のメイクアップ録画配信システム。
【請求項４】
前記分解した複数の部位が、目、頬、唇、鼻、口、まゆ、額、顎、耳、のいずれかを有することを特徴とする請求項３記載のメイクアップ録画配信システム。
【請求項５】
前記サーバが、前記化粧品識別情報と関係付けられて化粧品説明情報が登録されている化粧品説明情報データベースと、前記ユーザ端末から化粧品識別情報を受信した際に、前記化粧品説明情報データベースに、該化粧品識別情報と関係付けられて登録されている化粧品説明情報を配信する手段と、を有していることを特徴とする請求項１記載のメイクアップ録画配信システム。
【請求項６】
前記化粧品に非接触ＩＣタグが添付され、前記非接触ＩＣタグに前記化粧品識別情報が記憶され、前記第２のリーダが、前記化粧品識別情報の読み取りを行う非接触ＩＣタグリーダであることを特徴とする請求項１記載のメイクアップ録画配信システム。
【請求項７】
前記メイクアップに使用される化粧品に付加されている化粧品識別情報が、バーコード、ＱＲコード、カラーコード、光学読み取り用識別表示、のいずれかの表示により付加されていることを特徴とする請求項１記載のメイクアップ録画配信システム。
【請求項８】
前記メイクアップが施されるユーザが座る椅子には、該ユーザが座ったことを検知するセンサーが設けられ、前記センサーは、検知信号を前記撮影装置に送信する機能を有し、前記前記撮影装置は、該検知信号を受信した際に、撮影の開始を行う機能を有していることを特徴とする請求項１記載のメイクアップ録画配信システム。
【発明の詳細な説明】
【技術分野】
【０００１】
本発明は、ユーザの顔にメイクアップを施している場面を撮影し、その撮影した動画像データをユーザ端末に配信可能としたメイクアップ録画配信システムに関する。
【背景技術】
【０００２】
従来、店頭において化粧品の販売を行う場合に、化粧品を使用した際に化粧効果を顧客に納得してもらい、販売促進を図る目的で、顧客の顔に対して美容部員などがメイクアップを施すことが行われている。
しかしながら、店頭において、メイクアップが施されることは、他の顧客に見られることや、時間がかかるなどの不便があることから、メイクアップを希望しない顧客もいる。
【０００３】
近年、顧客の顔に、実際にメイクアップを施すことなく、種々の化粧品を使用してメイクアップを施した場合の化粧効果を確認できるようにするためのメイクアップシステムが公知となっている。（例えば、特許文献１〜３、参照）
これらのメイクアップシステムでは、顧客の顔を撮影した顔画像データに基づいて、予め登録されている化粧品データを使用し、メイクアップを施した場合の顔画像データを生成し、その生成した顔画像データを顧客の端末に送信することで、化粧品を購入する際の参考に、また、顧客自身で化粧を行う際の化粧方法の参考にしてもらうことができるようにしてある。
【０００４】
【特許文献１】特開２００１−３２５４００号公報
【特許文献２】特開２００５−１８１６８８号公報
【特許文献３】特開２００７−２１６０００号公報
【０００５】
しかしながら、従来のメイクアップシステムでは、実際に顧客の顔に対して、化粧品を使用したメイクアップを行っていないことから、化粧品の細かな使用方法である化粧用具を用いた力の強弱の入れ具合や、濃淡の入れ方など、メイクアップのプロフェショナルによる美容技術が顧客に伝わりにくいという問題がある。
つまり、店頭などでプロフェショナルによるメイクアップが顧客に施された結果、顧客がその化粧結果に満足して、使用された化粧品を購入することがある。
しかしながら、顧客が自宅に帰って、同じ化粧品の用具を使用して自分で化粧を施す場合、顔の部分ごとにおいて、強弱の入れ具合や、濃淡の入れ方などが異なると、化粧後の顔も異なることから、顧客が店頭で満足した化粧効果が必ずしも生じないということになり、結局のところ店側から顧客に対して、高い顧客満足度を提供できないという問題がある。
【発明の開示】
【発明が解決しようとする課題】
【０００６】
そこで、本発明は、化粧品を購入した顧客が、自宅等でその化粧品を使用して自分自身で化粧を施す場合でも、顧客が化粧品を購入する際に、店頭などで施されたプロフェショナルによるメイクアップ方法を参考にして、化粧を行えるようにしたメイクアップ録画配信システムを提供する。
【課題を解決するための手段】
【０００７】
本発明のメイクアップ録画配信システムは、ユーザの顔にメイクアップを施している場面を撮影し、その撮影した動画像データをユーザ端末に配信可能としたメイクアップ録画配信システムであって、前記ユーザが所持し、ユーザ識別情報が記憶されたユーザカードと、前記ユーザカードに記憶されたユーザ識別情報を読み取る第１のリーダと、前記メイクアップに使用され、化粧品識別情報が付加されている化粧品と、前記化粧品識別情報を読み取る第２のリーダと、前記ユーザの顔にメイクアップを施している場面を撮影する撮影装置と、前記第１のリーダ、前記第２のリーダ、前記撮影装置、前記ユーザ端末と、が通信可能な状態で接続されたサーバとを備え、前記サーバが、前記第１のリーダから受信したユーザ識別情報と、前記第２のリーダから受信した化粧品識別情報と、前記撮影装置から受信した動画像データと、を関係付けて登録する手段と、前記ユーザ端末から前記ユーザ識別情報を含むメイクアップ録画の配信要求情報を受信した際に、前記受信したユーザ識別情報と関係付けられて登録されている動画像データと、化粧品情報とを、前記ユーザ端末に配信する配信手段と、を有することを特徴とする。
【０００８】
また、本発明のメイクアップ録画配信システムは、前記サーバが、前記撮影装置から撮影開始情報を受信した際に、その受信した時刻を開始時刻として、録画時間のカウントを行う手段と、前記カウントされている時間経過データに基づいて、前記登録されている動画像データの撮影時刻情報と、前記第２のリーダから化粧品識別情報を受信した際の受信時刻情報とを関係付け、前記化粧品識別情報を受信した時刻毎に、その受信時刻間に撮影された動画像データを区分けして、該化粧品識別情報と、区分けした動画像データと、を関係付けて登録することで配信用コンテンツを作成する手段と、前記ユーザ端末の画面に表示された化粧品選択表示に基づいてユーザが選択し、前記ユーザ端末から送信された化粧品識別情報を受信した際に、受信した化粧品識別情報と関係付けられて配信用コンテンツに登録されている動画像データを、前記ユーザ端末に配信する手段と、を有していることを特徴とする。
したがって、本発明では、撮影装置で撮影した動画像データを、使用した化粧品に対応させてユーザ端末に配信することができる。
【０００９】
更に、本発明のメイクアップ録画配信システムは、前記サーバが、前記撮影装置から受信した動画像データを解析して、顔の化粧が施されている複数の部位毎に分解して、分解した動画像データと、各部位識別情報と、を関係付けて登録することで配信用コンテンツを作成する手段と、前記ユーザ端末の画面に表示された部位選択表示に基づいてユーザが選択し、前記ユーザ端末から送信された部位識別情報を受信した際に、受信した部位識別情報と関係付けられて配信用コンテンツに登録されている動画像データを、前記ユーザ端末に配信する手段と、を有していることを特徴とする。
したがって、本発明では、撮影装置で撮影した動画像データを、化粧を行っている顔の部位に対応させてユーザ端末に配信することができる。
【００１０】
また、本発明のメイクアップ録画配信システムは、前記分解した複数の部位が、目、頬、唇、鼻、口、まゆ、額、顎、耳、のいずれかを有することを特徴とする。
したがって、本発明では、撮影装置で撮影した動画像データを、化粧を行っている顔の目、頬、唇、鼻、口、まゆ、額、顎、耳、などの部位に対応させてユーザ端末に配信することができる。
【００１１】
更に、本発明のメイクアップ録画配信システムは、前記サーバが、前記化粧品識別情報と関係付けられて化粧品説明情報が登録されている化粧品説明情報データベースと、前記ユーザ端末から化粧品識別情報を受信した際に、前記化粧品説明情報データベースに、該化粧品識別情報と関係付けられて登録されている化粧品説明情報を配信する手段と、を有していることを特徴とする。
したがって、本発明では、ユーザが入手したいと思う、メイクアップ中に使用された化粧品の説明情報をユーザ端末で受信させて見ることができる。
【００１２】
また、本発明のメイクアップ録画配信システムは、前記化粧品に非接触ＩＣタグが添付され、前記非接触ＩＣタグに前記化粧品識別情報が記憶され、前記第２のリーダが、前記化粧品識別情報の読み取りを行う非接触ＩＣタグリーダであることを特徴とする。
【００１３】
更に、本発明のメイクアップ録画配信システムは、前記メイクアップに使用される化粧品に付加されている化粧品識別情報が、バーコード、ＱＲコード、カラーコード、光学読み取り用識別表示、のいずれかの表示により付加されていることを特徴とする。
【００１４】
更に、本発明のメイクアップ録画配信システムは、前記メイクアップが施されるユーザが座る椅子には、該ユーザが座ったことを検知するセンサーが設けられ、前記センサーは、検知信号を前記撮影装置に送信する機能を有し、前記前記撮影装置は、該検知信号を受信した際に、撮影の開始を行う機能を有していることを特徴とする。
したがって、本発明では、メイクアップが施されるユーザが、座る椅子に座ってから立ち上がるまでの間の時間を、撮影装置で自動的の撮影できるという効果がある。
【発明の効果】
【００１５】
本発明のメイクアップ録画配信システムは、サーバが、ユーザ端末からユーザ識別情報を含むメイクアップ録画の配信要求情報を受信した際に、受信したユーザ識別情報と関係付けられて登録されているメイクアップ録画の動画像データや化粧品情報を、ユーザ端末に配信することができるので、化粧品を購入した顧客が、自宅等でその化粧品を使用して自分自身で化粧を施す場合でも、顧客が化粧品を購入する際に、店頭などで施されたプロフェショナルによるメイクアップ方法を参考にして、化粧を行えるという効果がある。
【発明を実施するための最良の形態】
【００１６】
以下、本発明の実施形態に係るメイクアップ録画配信システムに関し、図面に基づき説明する。
図１は、本発明の実施形態に係るメイクアップ録画配信システムの概要を示す図である。
化粧品店１には、販売する商品である化粧品を使用して、ユーザ２にメイクアップを行うために用意されたメイクアップコーナーなどが設けられている。
このメイクアップコーナーにおいて、化粧品店１側の販売員からメイクアップが施されるユーザ２には、ユーザ２が所持するための、ユーザ識別情報が記憶されたユーザカード３が、化粧品店１側からユーザ２に対して予め配布されている。
通常、ユーザカード３は、ユーザ２の個人情報をデータベースに登録するなどして会員化した会員ユーザ２に配布される。
【００１７】
また、化粧品店１側において、ユーザ２に対してメイクアップを施す美容部員などの販売員４は、社員ＩＤなどの販売員識別情報が記憶された販売員識別カード５を所持している。
そして、販売員識別カード５に記憶された販売員識別情報に基づき、販売員が誰であるのか確認できるように、予め販売員識別情報と販売員の個人情報とが関係付けられてデータベースに登録されている。
ユーザカード３や販売員識別カード５は、非接触ＩＣカードにより構成され、非接触ＩＣカードに記憶された情報を読み取るリーダも、非接触ＩＣカードに対応して情報の読み取りを行える機能を備えている。
【００１８】
化粧品店１で販売し、メイクアップに使用する化粧品６には、機械読み取り可能な方式で化粧品識別情報が付加されている。
化粧品６に付加されている化粧品識別情報は、様々な方法で付加することができる。
例えば、化粧品６に非接触ＩＣタグ７を添付し、その非接触ＩＣタグ７に化粧品識別情報を記憶させたり、また、バーコード、ＱＲコード、カラーコード、光学読み取り用識別表示、などの機械読み取り可能な表示により化粧品識別情報を付加することができる。
この実施形態の説明では、非接触ＩＣタグ７に化粧品識別情報を記憶させた場合を一例として以下に説明する。
【００１９】
また、化粧品店１には、ユーザカード３に記憶されたユーザ識別情報と、販売員識別カード５に記憶された販売員識別情報と、を読み取る第１のリーダであるカードリーダ８と、更に、メイクアップに使用される化粧品に添付されている非接触ＩＣタグ７に記憶されている化粧品識別情報を読み取る第２のリーダであるＩＣタグリーダ９と、が備えられている。
また、本実施形態では、第１のリーダであるカードリーダ８の１台により、ユーザカード３に記憶されたユーザ識別情報と、販売員識別カード５に記憶された販売員識別情報と、を併用して読み取れるように構成したが、ユーザカード３に記憶されたユーザ識別情報を読み取るユーザ専用のカードリーダと、販売員識別カード５に記憶された販売員識別情報を読み取る販売員専用のカードリーダと、をそれぞれ設けるようにしてもよい。
尚、化粧品６に付加されている化粧品識別情報を、バーコード、ＱＲコード、カラーコード、光学読み取り用識別表示、などの表示により付加させた場合には、第２のリーダの情報読み取り機能も、それらの機械読み取り可能な表示に対応して読み取れる機能を有するリーダを用いる。
【００２０】
また、ユーザ２がメイクアップされている様子は、ユーザ２の前方に備えられた鏡１０によりユーザ２自身で見られるようにセッティングされている。
そして、鏡１０の上方側には、ユーザ２の顔に対して、メイクアップを施している場面を撮影するための撮影装置１１が備えられている。
この撮影装置１１は、顧客にメイクアップが施されている様子を正面側から撮影可能であれば、どの位置に設置してもよい。
この撮影装置１１は、ビデオカメラなどで映像撮影を行い、撮影した映像を動画像データとしてサーバへ送信可能な機能を有している。
【００２１】
また、メイクアップが施されるユーザ２が座る椅子１２には、そのユーザ２が座ったことを検知するセンサーが設けられている。
このセンサーは、公知のセンサーを用いればよいが、例えば、ユーザ２が椅子に座った際の圧力を検知し、検知信号を送信する機能を有する圧力センサーなどが好ましい。
また、センサーは、検知信号を撮影装置１１に送信する機能を有し、また、撮影装置１１は、センサーから検知信号を受信した際に、撮影の開始を行う機能を有している。
また、撮影装置１１は、このセンサーから検知信号を受信しない状態になった場合に、撮影の終了を行う機能も設けられている。
これにより、メイクアップが施されるユーザ２が、座る椅子１２に座ってから立ち上がるまでの間の時間を、撮影装置１１が自動的に撮影できるようにシステム構成されている。
【００２２】
そして、第１のリーダ８、第２のリーダ９、撮影装置１１、ユーザ端末１３と、通信可能に接続されたサーバ１４が、情報管理センター１５などに備えられている。
また、サーバ１４は、Ｗｅｂサーバ１４ａを介するなどして、インターネットなどの通信ネットワーク１７により、ユーザ２の自宅１６などに備えられているユーザ端末１３と通信可能に接続されている。
そして、ユーザ２が自宅などで、化粧を行う際に、ユーザ端末１３のディスプレイ画面に、メイクアップが施されている動画像データの動画像を映し出して、その動画像を参考にしながら、購入した化粧品を使用してユーザ自身でメイクアップを行えるようにしてある。
【００２３】
また、ユーザ端末１３には、ユーザカード３に記憶されたユーザ識別情報を読み取ることができるカードリーダ１３ａが通信可能に接続されている。
これにより、ユーザカード３から読み取ったユーザ識別情報を、ユーザ端末１３からサーバ１４に対して送信することで、サーバ１４側でユーザの特定を行えるようにしてある。
また、カードリーダ１３ａを備えない場合でも、ユーザ端末１３のキーボードからユーザ識別情報を入力することで、入力したユーザ識別情報を、ユーザ端末１３からサーバ１４に送信するようにしてもよい。
【００２４】
次に、図２に基づき、サーバ１４に設けられた映像解析・配信動画生成システムについて説明する。
図２には、本発明の実施形態に係るメイクアップ録画配信システムにおいて、サーバ１４のシステム構成を説明するための模式図が示されている。
サーバ１４は、撮影装置１１から送信され、サーバ１４で受信した動画像データを登録する動画像データｔｅｂｌｅ（テーブル）１８ａと、予めユーザ識別情報とユーザの個人情報とが関係付けられて登録されているユーザ情報ｔｅｂｌｅ（テーブル）１８ｂと、予め販売員識別情報の販売員個人情報とが関係付けられて登録されている販売員情報ｔｅｂｌｅ（テーブル）１８ｃと、を有するデータベース１８を有している。
また、サーバ１４は、化粧品識別情報と関係付けられて化粧品説明情報が登録されている化粧品説明情報データベース１９が設けられ、ＩＣタグリーダ９で非接触ＩＣタグ７から読み取られた化粧品識別情報をサーバ１４が受信した場合に、化粧品説明情報データベース１９の登録情報の中から受信した化粧品識別情報と関係付けられ登録されている化粧品説明情報を抽出できるように構成されている。
【００２５】
また、サーバ１４には、映像解析部２０が設けられており、映像解析部２０でデータベース１８及び化粧品説明情報データベース１９に登録されている情報の各種解析処理が行われる。
映像解析部２０は、顔パーツ抽出手段２１、商品抽出手段２２、チャプター挿入手段２３、チャプタリスト作成手段２４、配信用動画作成手段２５、などを有している。
そして、映像解析部２０に処理で生成された情報は、コンテンツデータベース２６に登録され、Ｗｅｂサーバ１４ａを介するなどして、インターネットなどの通信ネットワーク１７により、ユーザ２の自宅１６などに備えられているユーザ端末１３に配信される。
コンテンツデータベース２６は、動画像データｔｅｂｌｅ（テーブル）２６ａと、ユーザ情報ｔｅｂｌｅ（テーブル）２６ｂと、販売員情報ｔｅｂｌｅ（テーブル）２６ｃを有し、コンテンツデータベース２６に登録されるコンテンツは、記録された動画像データにユーザ向け商品情報（例えば、商品ＣＭ、関連ＣＭ、キャンペーン等）、商品解説、メイクアップ技術、などが挿入されたものである。
また、ユーザ２が、自宅で動画像の検索を行いやすいように、チャプターが顔の各パーツのメイクアップシーン毎に挿入されている。
【００２６】
コンテンツデータベース２６に登録されるコンテンツ映像の例を以下に記載する。
ユーザ２の撮影を行った場合には、時系列で、［商品ＣＭ番号（Ａ）＋顔パーツＡメイクアップ］＋［顔パーツＢの関連商品ＣＭ番号＋顔パーツＢメイクアップ］＋［商品ＣＭ番号（Ｃ）＋顔パーツＣメイクアップ］などのように構成される。
上記の場合に、［］内は一連の動画像であり、「＋」はチャプターを意味している。
チャプターの挿入は、商品である化粧品をＩＣタグリーダ９に近づけて、非接触ＩＣタグ７に記憶されている化粧品識別情報をＩＣタグリーダ９で読み取った時刻と動画像の撮影時刻とを同期させることで、どのタイミングでチャプターの挿入を行うのかが決まる。
【００２７】
また、映像解析部２０は、関連商品のＣＭは、顔のどのパーツをメイクアップしているのかをシステムが自動認識し、そのパーツに応じた商品ＣＭを挿入する機能を有している。
この自動認識機能は、販売員にメイクアップされることにより動画のフレーム変動量の最も大きな部分、また、メイクアップされた結果、色の変化の大きかった部分を、現在メイクアップしているパーツと認識することで行われる。
また、商品ＣＭ番号は、販売メーカの要望に応じて変更することが可能である。
これにより、メーカは、旬のＣＭを会員に提供することが可能である。
【００２８】
そして、サーバ１４は、ユーザ端末１３からユーザ識別情報を含むメイクアップ録画の配信要求情報を受信した際に、その受信したユーザ識別情報と関係付けられて登録されている動画像データと、化粧品情報とを、前記ユーザ端末に配信する手段を有している。
このユーザ識別情報は、ユーザカード３に記憶されているユーザ識別情報と同一情報であり、またメイクアップ録画の配信要求情報は、ユーザ２がユーザ端末１３にディスプレイ表示部に表示される選択用表示の中から選択してクリックすることで、特定される情報である。
【００２９】
次に、本発明の実施形態に係るメイクアップ録画配信システムにおいて、メイクアップ録画を行う際の処理手順を、図３のフローチャートに基づいて説明する。
まず、メイクアップを希望するユーザ２は、カードリーダ８にユーザカード３を近づけて、ユーザ識別情報を読み取らせる。（ステップＳ１）
カードリーダ８は、サーバ１４にユーザ識別情報を送信し、サーバ１５でのユーザ認証処理が行われる。（ステップＳ２）
このユーザ認証処理で認証が受けられた場合、サーバ１４のデータベース１８にメイクアップ録画を行うユーザのユーザ識別情報として登録される。（ステップＳ３）
尚、認証が受けられない場合、処理が中止されて終了する。
【００３０】
次に、ユーザ２にメイクアップを施す担当の販売員は、カードリーダ８に販売員識別カード５を近づけて、販売員識別情報を読み取らせる。（ステップＳ４）
カードリーダ８は、サーバ１４に販売員識別情報を送信し、サーバ１５のデータベース１８にユーザ識別情報と関係付けて登録する。（ステップＳ５）
これにより、どのユーザに対して、販売員の誰がメイクアップを施したのかが確認できるようにしてある。
【００３１】
そして、ユーザ２が、メイクアップ用の椅子１２に座ると、椅子１２に備えられているセンサー１２ａが検知し、検知信号を撮影装置１１に送信する。（ステップＳ６）
撮影装置１１は、検知信号を受信した際に撮影を開始させる。（ステップＳ７）
撮影装置１１は、サーバ１４に対して、撮影が開始されてことを示す撮影開始情報を送信する。（ステップＳ８）
サーバ１４は、撮影装置１１から撮影開始情報を受信した際に、その受信した時刻を開始時刻として、録画時間のカウントを行う。（ステップＳ９）
その後、サーバ１４では、このカウントされている時間経過データに基づいて、登録する動画像データの撮影時刻情報と、第２のリーダであるＩＣタグリーダ９から受信する化粧品識別情報について、その受信した際の受信時刻情報とを関係付け、前記化粧品識別情報を受信した時刻毎に、その受信時刻間に撮影された動画像データを区分けして、該化粧品識別情報と、区分けした動画像データと、を関係付けて登録を行えるようにしてある。
【００３２】
そして、撮影装置１１で撮影された動画像データは、順次にサーバ１４に送信されて、データベース１８にユーザ識別情報と関係付けて登録される。（ステップＳ１０）
ユーザ２にメイクアップを施す販売員４は、メイクアップ中に使用する商品である化粧品について、使用する際にＩＣタグリーダ９に化粧品を近づけて、化粧品に添付されている非接触ＩＣタグ７から化粧品識別情報を読み取らせる。（ステップＳ１１）
ＩＣタグリーダ９は、読み取った化粧品識別情報をサーバ１４に送信する。（ステップＳ１２）
【００３３】
サーバ１４は、ＩＣタグリーダ９から化粧品識別情報を受信する毎に、録画時間のカウントによりカウントされている時間経過データに基づいて、その受信した化粧品識別情報のタイムスタンプを登録する。（ステップＳ１３）
これにより、使用した商品の化粧品が、動画像データの、どの時点で入力したかが記録されることになる。
【００３４】
そして、一連のメイクアップが終了して、ユーザ２が椅子１２から立ち上がると、椅子に備えられたセンサー１２が、ユーザ２が椅子１２から立ち上がったことを検知して、その検知信号を撮影装置１１に送信する。（ステップＳ１４）
撮影装置１１は、センサー１２からその検知信号を受信することで撮影を終了する。（ステップＳ１５）
更に、撮影装置１１は、サーバ１４に対して撮影が終了したことを知らせる信号を送信する。（ステップＳ１６）
【００３５】
サーバ１４は、撮影装置１１から撮影終了信号を受信すると、撮影が開始されてから終了されるまでにデータベース１８に登録された動画像データに基づいて、映像解析部２０によるコンテンツ情報作成処理が行われる。（ステップＳ１７）
映像解析部２０によるコンテンツ情報作成処理では、一連の動画像データの録画時間の時間経過データに、化粧品識別情報のタイムスタンプを登録した時刻を同期させて、化粧品識別情報を受信した時刻毎に、その受信時刻間に撮影された動画像データを区分けして、該化粧品識別情報と、区分けした動画像データと、を関係付ける処理や、更に、メイクアップを行った顔を分解した複数の部位、例えば、目、頬、唇、鼻、口、まゆ、額、顎、耳、などの部位ごとに、チャプターを挿入する処理により、コンテンツ映像を作成してコンテンツデータベース２６に登録する。
【００３６】
これにより、映像解析部２０によるコンテンツ情報作成処理後に、コンテンツデータベース２６に登録されたユーザ２への配信用コンテンツは、ユーザ２がユーザ端末１３を使用して、配信用コンテンツに基づく利用を行う際に、ユーザ２自身が化粧品識別情報や顔の部位を選択することで、ユーザ２が見たい動画像をディスプレイ表示に表示することができるようにしてある。
上記の処理により、メイクアップ撮影と、撮影された動画像データに基づくコンテンツ情報の登録が行われる。
【００３７】
次に、本発明の実施形態に係るメイクアップ録画配信システムにおいて、ユーザ２が自宅でユーザ端末１３を使用して、メイクアップ録画された動画像データに基づいて作成されたコンテンツ映像を見る場合の処理手順を、図４と、図５のフローチャートに基づいて説明する。
図４には、ユーザ端末１３のディスプレイ表示部に表示される画面表示を説明するために、処理手順の順に（ａ）〜（ｂ）まで４種類の表示内容が示されている。
【００３８】
まず、ユーザ２は、ユーザ端末１３を使用して、動画配信の専用サイトにアクセスする。（ステップＳ１）
動画配信の専用サイトのＵＲＬは、ユーザ２が所持するユーザカード３に予め表示させておくことが好ましい。
この動画配信の専用サイトにアクセスすると、図４（ａ）に示すような「認証用画面」２７がディスプレイに表示される。
認証用画面２７には、ユーザ２の会員番号入力欄２８とパスワード入力欄２９とが表示され、ユーザ２は、ユーザ識別情報である会員番号とパスワードとを入力した後、送信するための送信表示部３０をクリックすることで、会員番号とパスワードをサーバ１４へ送信する。（ステップＳ２）
また、ユーザ識別情報である会員番号とパスワードとを予めユーザカード３のメモリに記憶させておき、ユーザ端末１３に接続させて設けられているカードリーダ１３ａで読み取らせて、サーバ１４に送信するようにしてもよい。
【００３９】
サーバ１４は、ユーザ端末１３から受信した会員番号とパスワードに基づいて、予めベータベースに登録されているユーザ情報と照合して、認証処理を行う。（ステップＳ３）
この認証処理では、予めベータベースに登録されているユーザ情報と一致した場合には認証を行い、不一致の場合には、処理を中止して終了する。
認証が受けられた場合には、サーバ１４からユーザ端末１３に対して、図４（ｂ）に示す「クリック選択画面」３１を送信し、ディスプレイに表示させる。（ステップＳ４）
この「クリック選択画面」３１には、ユーザ２が過去にメイクアップを行い、撮影された撮影日時リスト３２や、その店舗名リスト３３が表示されると共に、動画を確認した回数データ表示３４も表示される。
これらの表示情報は、サーバ１４において、コンテンツデータベース２６に登録されたユーザ２への配信用コンテンツの中から、ユーザ識別情報である会員番号と関係付けられて登録されている配信用コンテンツの情報に基づいて配信された情報を元に作成される。
そして、撮影日時リスト３２や、その店舗名リスト３３の中から、ユーザ２が見たいと思うところを選択して、クリックすることで、目的の動画像データに基づく映像がディスプレイに表示されるようにしてある。
【００４０】
そして、「クリック選択画面」３１の撮影日時リスト３２、店舗名リスト３３の中から、ユーザ２が見たいと思うところが選択されクリックする。（ステップＳ５）
これにより、図４（ｃ）に示す「チャプター選択画面」３５がサーバ１４からユーザ端末１３に配信される。（ステップＳ６）
「チャプター選択画面」３５には、希望のパーツ（部位）、希望の商品、全チャプター、などについて、各々選択するためのクリック用の表示３６，３７，３８が表示されている。
例えば、希望のパーツ（部位）としては、目、頬、唇、鼻、口、まゆ、額、顎、耳、などのチャプターがある。
また、全チャプターをクリックした場合には、メイクアップが施されている開始から終了までの映像をみることができる。
いずれにしても、ユーザ２は、「チャプター選択画面」３５の中から配信を希望するクリック用の表示をクリックすることで、サーバ１４に対して、メイクアップ録画の配信要求情報が送信される。（ステップＳ７）
【００４１】
そして、サーバ１４は、メイクアップ録画の配信要求情報を受信すると、予め受信したユーザ識別情報と関係付けられて登録されている動画像データと、化粧品情報とを含む配信用コンテンツを、ユーザ端末１３に配信して、図４（ｄ）に示すようなメイクアップが施されている場面を映す「動画像配信画面」３９の動画像が映し出される。（ステップＳ８）
尚、図４（ｄ）には、「チャプター選択画面」３５から全チャプターを選択した場合の映像が示されている。
この「動画像配信画面」３９の動画像が映し出されるのは、ユーザの顔画像４０である。
これにより、ユーザ２は、メイクアップが施されている場面の動画像を参考にして、購入した化粧品を使用して、自分でメイクアップを行える。
【００４２】
そして、メイクアップが施されている場面の動画像の映像が終了した場合には、サーバ１４からユーザ端末１３にアンケート情報が配信され、ユーザ２は、このアンケートの回答を入力した返信させる。（ステップＳ９）
その後、サーバ１４からユーザ端末１３に対して、新商品情報が配信される。（ステップＳ１０）
上記の一連の処理が終了することで、配信コンテンツの処理が終了する。
【００４３】
また、上記のステップＳ７において、ユーザ２が「チャプター選択画面」３５の中から希望のパーツ（部位）のいずれかを選択してクリックした場合には、ユーザ端末１３の画面に選択した顔のパーツ（部位）を化粧している場面の動画像シーンが配信される。（ステップＳ１１）
尚、「チャプター選択画面」３５において、希望のパーツ（部位）だけの選択表示を示して、希望のパーツ（部位）を選択した場合に、次の画面に目、頬、唇、鼻、口、まゆ、額、顎、耳、などの希望のパーツ（部位）の選択画面を表示させるようにしてもよい。
【００４４】
上記のように、本発明の実施形態に係るメイクアップ録画配信システムでは、ユーザ２が実際にメイクアップを施されている場面をユーザ端末１４のディスプレイ表示に表示させて、その動画像を参考にして自分でメイクアップを行えるので、従来にように自己流にメイクアップを行うよりも綺麗になれる可能性が高いものである。
【図面の簡単な説明】
【００４５】
【図１】本発明の実施形態に係るメイクアップ録画配信システムの概要を示す図である。
【図２】本発明の実施形態に係るメイクアップ録画配信システムにおいて、サーバのシステム構成を説明するための模式図である。
【図３】本発明の実施形態に係るメイクアップ録画配信システムにおいて、メイクアップ録画を行う際の処理手順を示すフローチャートである。
【図４】本発明の実施形態に係るメイクアップ録画配信システムにおいて、ユーザ端末のディスプレイ表示部に表示される表示内容が示されている。
【図５】本発明の実施形態に係るメイクアップ録画配信システムにおいて、メイクアップ録画の配信をユーザ端末で受信を行う際の処理手順を示すフローチャートである。
【符号の説明】
【００４６】
１  化粧品店
２  顧客
３  ユーザカード
４  販売員
５  販売員識別カード
６  化粧品
７  非接触ＩＣタグ
８  第１のリーダ
９  第２のリーダ
１０  鏡
１１  撮影装置
１２  椅子
１３  ユーザ端末
１４  サーバ
１４ａ  Ｗｅｂサーバ
１５  情報管理センター
１６  ユーザの自宅
１７  通信ネットワーク
１８  データベース
１８ａ，２６ａ  動画像データｔｅｂｌｅ（テーブル）
１８ｂ，２６ｂ  ユーザ情報ｔｅｂｌｅ（テーブル）
１８ｃ，２６ｃ  販売員情報ｔｅｂｌｅ（テーブル）
１９  化粧品説明情報データベース
２０  映像解析部
２１  顔パーツ抽出手段
２２  商品抽出手段
２３  チャプター挿入手段
２４  チャプタリスト作成手段
２５  配信用動画作成手段
２６  コンテンツデータベース
２７  認証用画面
２８  会員番号入力欄
２９  パスワード入力欄
３０  送信表示部
３１  クリック選択画面
３２  撮影日時リスト
３３  店舗名リスト
３４  回数データ表示
３５  チャプター選択画面
３６，３７，３８  クリック用の表示
３９  動画像配信画面
４０  ユーザの顔画像
【図１】
0004924376.tif 000002
【図２】
0004924376.tif 000003
【図３】
0004924376.tif 000004
【図４】
0004924376.tif 000005
【図５】
0004924376.tif 000006